(57)【要約】  【課題】略Ｕ字形をしたヨークの二つの磁極部間を適正に保ち得るようにした固定子を備えている電磁アクチュエータを提供すること。  【解決手段】回転子８は、本体部８ａ，腕部８ｂ，出力ピン８ｃを有する永久磁石製であって、本体部８ａの円周面を磁極部とし、シャッタ地板１に立設された軸１ｃに回転可能に取り付けられている。ヨーク９は、その孔をシャッタ地板１の位置決めピン１ｄに嵌合させ、突起１ｅ，１ｆによって回り止めされ、脚部９ａ，９ｂの先端の磁極部を、回転子８の磁極部に対向させている。脚部９ｂに嵌装されたボビン１１は、コイル１０を巻回しており、脚部９ｂの磁極部側となるフランジ部１１ｃには、脚部９ａに接触し得るようにして張出部１１ｄが形成されている。そのため、製作過程において、ヨーク９が変形されていても、磁極部間を好適に保てるようになっている。【選択図】  図１
2007174795.tif 000002
【特許請求の範囲】
【請求項１】
円周面に複数の磁極部を設けた永久磁石を有している回転子と、略Ｕ字形をしていて二つの脚部の先端部を磁極部としそれらを前記円周面に対向させているヨークと、コイルを巻回した筒状部の両端に二つのフランジ部を有していて該二つのフランジ部のうち該筒状部を前記脚部の一方に嵌装したとき前記ヨークの磁極部側となるフランジ部に前記脚部の他方に接触し得る張出部の形成されているボビンと、を備えていることを特徴とする電磁アクチュエータ。
【請求項２】
前記ボビンを嵌装した前記ヨークが、前記回転子を間にして二つ配置されていることを特徴とする請求項１に記載の電磁アクチュエータ。
【請求項３】
前記回転子が、二つの板状部材の間において、少なくともそれらの一方に回転可能に取り付けられていて、回転中心の径方向位置に、該回転子の回転軸と平行となるようにして出力ピンを有していることを特徴とする請求項１又は２に記載の電磁アクチュエータ。
【請求項４】
各々が前記ヨークの二つ脚部に接触して、前記ヨークの二つの磁極間の広がりを抑止する部位が、前記板状部材の少なくとも一方に複数設けられていることを特徴とする請求項３に記載の電磁アクチュエータ。
【請求項５】
前記板状部材の一方と前記ボビンとが、合成樹脂材料による一体成形加工で製作されていることを特徴とする請求項３又は４に記載の電磁アクチュエータ。
【発明の詳細な説明】
【技術分野】
【０００１】
本発明は、二つの脚部の先端部を磁極部とした略Ｕ字形のヨークを備えていて、その一方の脚部に、コイルを巻回したボビンを嵌装させ、そのコイルへの通電によって、永久磁石を有する回転子を往復回転させるようにした電磁アクチュエータに関する。
【背景技術】
【０００２】
固定子が、二つの脚部を有する略Ｕ字形のヨークと、コイルを巻回してその脚部の一方に嵌装されたボビンとで構成されており、それらの脚部の先端部を磁極部として、永久磁石を有する回転子の円周面に対向させるように配置した電磁アクチュエータが知られている。下記の特許文献１には、そのような構成をした固定子を、一つだけ備えたものが記載されており、特許文献２には、二つ備えたものが記載されている。そして、特許文献１に記載された電磁アクチュエータの場合は、シャッタ装置の駆動源として用いられているが、このような構成の電磁アクチュエータは、絞り装置やフィルタ装置などの駆動源として用いることもできるほか、全体を小型，扁平にしやすいことから、携帯電話やパソコンなどの情報端末機器に内蔵されるカメラ用レンズの駆動源としても用いることが可能である。また、特許文献２に記載された電磁アクチュエータの場合は、絞り装置の駆動源として用いられているが、このような構成の電磁アクチュエータは、シャッタ装置やフィルタ装置などの駆動源として用いることも可能である。更に、どちらの構成の電磁アクチュエータも、カメラ関係以外の各種の小型装置の駆動源として用いることが可能である。
【０００３】
ところで、このような電磁アクチュエータは、各種の小型装置の駆動源として用いられることから、ヨークは、例えば縦が５ｍｍ以下、横が１０ｍｍ以下、厚さが１ｍｍ以下である場合が多く、薄い板材からプレス機で打ち抜いた後、バレル加工やメッキ加工などの工程を経て製作される。ところが、この種の電磁アクチュエータは大量生産品であることから、それらのヨークの加工も、大量のロットごとに行われている。そのため、工程間の搬送中や、加工設備への投入，取り出しの際や、加工中などに、ヨーク同士がぶつかるなどして、最終的には所定の形状をしたヨークを均一に得られなくなってしまうことがある。その場合、最も問題となるのは、二つの脚部の先端部に設けられた磁極部同士の間隔が許容範囲を超えて変えられてしまうことであるが、このようなことは、ヨークにボビンを組み付けるときにも生じてしまうことがある。このような生産上の問題点がある中で、特許文献１には、電磁アクチュエータの本体（特許文献１においては、基板）に固定子を組み付ける際、ヨークに設けられている二つの磁極部同士の間隔を適正に得られるようにした構成が記載されている。
【０００４】
【特許文献１】特開２００４−９５７０３号公報
【特許文献２】特開２００５−１０７１７３号公報
【発明の開示】
【発明が解決しようとする課題】
【０００５】
上記の特許文献１に記載されている電磁アクチュエータは、電磁アクチュエータの本体（特許文献１においては、基板）に位置決め突起を形成しておき、ヨークは、その位置決め突起によって、二つの脚部（特許文献１においては、腕部）を弾性変形させられ、それらの間を広げるようにして取り付けられている。そのため、当然のことながら、その位置決め突起は、ボビンに設けられている二つのフランジ部のうち、ヨークの磁極部側となるフランジ部とその磁極部との間において、二つの脚部を押し広げている。従って、コイルの巻回量を維持するために、ボビンを従来と同じ大きさにしようとすると、ヨークの二つの脚部を、その分だけ長くしなければならず、小型化には不利な構成になってしまうし、二つの脚部の長さを従来どおりにしようとすると、ボビンを小さくしてコイルの巻回量を少なくしなければならないという問題点がある。また、特許文献１に記載の構成では、ヨークにボビンを組み付けるときなどに、二つの磁極部間が小さくなるように変形されてしまうことがあるという問題点を解決することはできない。
【０００６】
本発明は、このような問題点を解決するためになされたものであり、その目的とするところは、ヨークにボビンを組み付けるときなどにおいて、ヨークの二つの磁極部間を小さくなるように変形させてしまうことがなく、また、ヨークを大きくしたりボビンを小さくしなくても、ヨークの二つの磁極部間を適正に保ち得るようにした固定子を備えている電磁アクチュエータを提供することである。
【課題を解決するための手段】
【０００７】
上記の目的を達成するために、本発明の電磁アクチュエータは、円周面に複数の磁極部を設けた永久磁石を有している回転子と、略Ｕ字形をしていて二つの脚部の先端部を磁極部としそれらを前記円周面に対向させているヨークと、コイルを巻回した筒状部の両端に二つのフランジ部を有していて該二つのフランジ部のうち該筒状部を前記脚部の一方に嵌装したとき前記ヨークの磁極部側となるフランジ部に前記脚部の他方に接触し得る張出部の形成されているボビンと、を備えているようにする。
【０００８】
その場合、前記ボビンを嵌装した前記ヨークが、前記回転子を間にして二つ配置されているようにしてもよい。また、前記回転子が、二つの板状部材の間において、少なくともそれらの一方に回転可能に取り付けられていて、回転中心の径方向位置に、該回転子の回転軸と平行となるようにして出力ピンを有しているようにしてもよいし、各々が前記ヨークの二つ脚部に接触して、前記ヨークの二つの磁極間の広がりを抑止する部位が、前記板状部材の少なくとも一方に複数設けられているようにしてもよい。更に、前記二つの板状部材の一方と前記ボビンとが、合成樹脂材料による一体成形加工で製作されているようにすると、小型化，低コスト化に有利となる。
【発明の効果】
【０００９】
本発明の電磁アクチュエータによれば、ボビンに形成されている二つのフランジ部のうち、ボビンをヨークの一方の脚部に嵌装したとき、その脚部の磁極部側となる方のフランジ部に、ヨークの他方の脚部に接触し得るようにして張出部を形成したので、ヨークの部品加工の過程において、二つの脚部間の間隔が所定の間隔よりも若干小さく形成されても、ボビンを嵌装するとき、その張出部によって、特許文献１に記載の構成例の場合と同様に所定の間隔を保てるようにすることが可能であるほか、特許文献１に記載の構成例の場合よりも、ヨークにボビンを嵌装するときなどの組立時に、ヨークの二つの脚部間の間隔を所定の間隔よりも小さくなるように変形させてしまう心配がなくなり、しかも、ヨークを大きくしたりボビンを小さくしなくても駆動トルクを好適に確保できるという利点がある。
【発明を実施するための最良の形態】
【００１０】
本発明の実施の形態を、図示した実施例によって説明する。上記したように、本発明の電磁アクチュエータは、各種の小型製品の駆動源として採用することが可能なものであるが、そのような小型製品の代表的なものとしては、単独で製品化されるカメラや、携帯電話やパソコンなどの情報端末機器に内蔵されるカメラに組み込まれる各種のコンポーネントがある。そのため、実施例は、それらのうちの一つであるレンズシャッタ装置として構成したものである。また、レンズシャッタ装置の場合には、周知のように、同じ構成のものを、銀塩フィルムカメラに採用されたり、情報端末機器などに内蔵される場合をも含むデジタルカメラに採用されたりすることがあるが、実施例の作動については、デジタルカメラに採用された場合で説明する。
【００１１】
尚、図１は、シャッタ羽根の全開状態（初期状態）を示した実施例の平面図であり、図２は、図１を背面側から見た平面図である。また、図３は、実施例における構成部材の重なり関係を分かり易く示した断面図であり、図４は、実施例の要部と従来例とを比較するために示した図であって、図４（ａ）は実施例の場合であり、図４（ｂ）は従来例の場合である。更に、図５は、実施例のシャッタ装置を内蔵した携帯電話の外観図であって、図５（ａ）は被写体側から見た図であり、図５（ｂ）は撮影者側から見た図である。
【実施例】
【００１２】
先ず、本実施例の構成から説明する。シャッタ地板１は、合成樹脂製の比較的厚い板部材であるが、その表面は、両面とも複雑な形状に形成されており、被写体光路を規制するための円形の開口部１ａのほか、円弧状に大きく形成された長孔１ｂを有している。シャッタ地板１の一方の面には、所定の間隔を空けて、合成樹脂製の枠板４が、二つのビス２，３によって取り付けられ、両者の間にアクチュエータ室を構成しているが、図１においては、アクチュエータ室内を見やすくするために、その枠板４とビス２，３を二点鎖線で示してある。また、シャッタ地板１の他方の面には、所定の間隔を空けて、カバー板５が、二つのビス６，７によって取り付けられ、両者の間にシャッタ室を構成している。そして、シャッタ地板１には、アクチュエータ室側の面に、軸１ｃと、位置決めピン１ｄと、位置規制用の二つの突起１ｅ，１ｆとが設けられ、シャッタ室側の面に、二つの軸１ｇ，１ｈと、位置決めピン１ｉと、四つのストッパ１ｊ，１ｋ，１ｍ，１ｎとが設けられている。
【００１３】
また、枠板４には、上記のビス２，３によって取り付けられるための孔のほか、上記の位置決めピン１ｄの先端を挿入させる長孔４ａと、略方形をした大きな切欠き部４ｂと、上記の軸１ｃの先端を嵌合させる孔４ｃが形成されており、アクチュエータ室側の面には、断面形状が円形をした二つの突起部４ｄ，４ｅが形成されている。更に、カバー板５は、シャッタ地板１と類似の形状をしていて、上記のビス６，７によって取り付けられるための孔のほか、上記の開口部１ａと重なる位置に、開口部１ａよりも直径の大きな開口部５ａを有し、上記の長孔１ｂと略重なる位置に、長孔１ｂと類似の形状をした長孔５ｂを有している。また、カバー板５には、上記の軸１ｇ，１ｈの先端を挿入させるための孔５ｃ，５ｄと、上記の位置決めピン１ｉの先端を嵌合させるための孔５ｅも形成されている。
【００１４】
アクチュエータ室内において、上記の軸１ｃに、回転子８が回転可能に取り付けられている。この回転子８は、円筒形をした本体部８ａと、その径方向へ張り出した腕部８ｂと、その腕部８ｂの先端に形成された出力ピン８ｃとからなっていて、それらが全て永久磁石となっているが、図１においては、２極に着磁されている本体部８ａの磁極の境界線を一点鎖線で示してある。そして、その出力ピン８ｃは、上記の長孔１ｂから羽根室側に挿入され、その先端を上記の長孔５ｂに挿入している。尚、本実施例の回転子８はこのような構成をしているが、本発明の回転子は、このような構成に限定されず、周知のように、上記の腕部８ｂと出力ピン８ｃとを合成樹脂製としたものでもよく、また、本実施例の本体部８ａを円柱形にして、シャッタ地板１と枠板４の両方によって回転可能に軸支されるようにしたものでも差し支えない。また、本実施例のように、腕部８ｂを設けず、出力ピン８ｃを、本体部８ａの下端面に直接設けるようにしたものでも差し支えない。更に、出力ピン８ｃを設けず、特許文献２に記載されている回転子のように構成しても差し支えない。要するに、本発明の回転子は、本体部の円周面を永久磁石の複数の磁極で形成されておりさえすればよいということである。
【００１５】
また、アクチュエータ室内には、ヨーク９と、コイル１０を巻回したボビン１１とが配置されている。そのうち、ヨーク９は、図１から分かるように、略Ｕ字形をしていて、二つの脚部９ａ，９ｂの先端部を磁極部としている。また、ボビン１１は、ヨーク９の一方の脚部９ｂに嵌装した筒状部１１ａと、その筒状部１１ａの両端に形成された二つのフランジ部１１ｂ，１１ｃとを有していて、磁極部側のフランジ部１１ｃには他方の脚部９ａに接触し得るようにして張出部１１ｄが形成されている。このように、ヨーク９にボビン１１を嵌装させた構成体は、ヨーク９が変形し易い形状をしているために、従来は、なかなか均一に製作されにくいという問題点があった。そのため、以下においては、その問題点と、本実施例のボビン１１が、何故このような形状をしているのかについて説明をしておく。
【００１６】
ヨーク９は、上記したように、いわゆる小物部品に属しているため、薄い板材からプレス機で打ち抜かれた後、バレル加工やメッキ加工などを行うときには、数百個単位で一度に行われる。ところが、図１を見ても分かるように、ヨーク９は細長い二つの脚部９ａ，９ｂを有しているため、それらの運搬中や加工に際して、ヨーク同士がぶつかるなどして、脚部９ａ，９ｂが僅かではあるが変形させられてしまい、回転子８との配置上最も重要な部位である先端の磁極部間の間隔が許容範囲を超えて変えられてしまうことがある。そして、その場合には、その形状から、間隔が大きくなるよりも小さくなる方が多い。
【００１７】
その後、ヨーク９の脚部９ｂに対し、コイル１０を巻回したボビン１１の筒状部１１ａを嵌装させることになるが、その際、作業者は、一方の手の指にヨーク９を持ち、他方の手の指にボビン１１を持って、次から次へと迅速に作業を行うため、ヨーク９の取り扱い中に、脚部９ａ，９ｂの少なくとも一方を変形させ、両者の磁極部間の間隔を変えてしまうことがある。そして、このときにも、ヨーク９の形状から、磁極部間の間隔は、小さくさせられてしまう方が多い。
【００１８】
それに対して、本実施例のボビン１１は、嵌装する脚部９ｂの磁極部側となるフランジ部１１ｃに張出部１１ｄを形成しているため、上記のような部品加工の過程において、ヨーク９が、磁極部間の間隔を小さくするように変形されていても、ボビン１１の嵌装時には、張出部１１ｄが脚部９ａを押すことによって、矯正し得るようになっている。また、ヨーク９の脚部９ｂに対しボビン１１の筒状部１１ａを嵌装させる作業を行うに際し、ボビン１１を嵌装する直前に、ヨーク９を、磁極部間の間隔が小さくなるように変形させた場合にも、上記と同様にして張出部１１ｄが脚部９ａを押して矯正されるし、ボビン１１を嵌装した後には、張出部１１ｄの存在によって、磁極部間の間隔は小さくなり得ないため、作業者の作業が非常にし易くなる。
【００１９】
また、所定の間隔よりも小さくなっていた磁極部間の間隔を、シャッタ地板１へヨーク９を取り付けたとき、適正化できるようにするということだけであれば、特許文献１に記載されている構成でも可能であるが、電磁アクチュエータの小型化に伴い、本実施例の構成の場合には、それよりも一段と優れた利点を有している。そのことを、図４を用いて説明するが、図４（ａ）は、図１に示されている本実施例の電磁アクチュエータの要部を抜き出して示した平面図であり、図４（ｂ）は本実施例と対比し易いようにするために、ヨーク９と回転子８の形状寸法及び配置関係を全く同じにし、しかもコイル１０の巻き径を同じにして示したものである。このように対比してみれば分かるように、特許文献１に記載の構成を採用した場合には、シャッタ地板１に突起１ｘ（特許文献１における位置決め突起１３）を形成することになるため、ボビン１１を小さくしなければならず、コイル１０の巻き数が減ってしまうことになり、駆動トルクが減少して回転子８を好適に回転させることができなくなるし、逆に、ボビン１１の大きさを同じにしようとすると、ヨーク９の脚部９ａ，９ｂの長さを長くしなければならず、ヨーク９全体、ひいては電磁アクチュエータが大きくなってしまうが、本実施例の場合は、そのようにはならない。
【００２０】
このようにしてボビン１１を嵌装させた本実施例のヨーク９は、二つの脚部９ａ，９ｂの共通の基部に形成された孔を、上記の位置決めピン１ｄに嵌合させて、シャッタ地板１に組み付けられ、上記の二つの突起１ｅ，１ｆによって回転止めされている。そのため、可能性としては極めて少ないが、万が一、ヨーク９が、その磁極部間の間隔が大きくなるように変形されていた場合でも、これらの突起１ｅ，１ｆによって、適正に矯正されることになる。
【００２１】
ヨーク９が、このようにしてシャッタ地板１に組み付けられた後、枠板４は、長孔４ａを位置決めピン１ｄに嵌合させ、孔４ｃを軸１ｃに嵌合させておいて、ビス２，３によってシャッタ地板１に取り付けられているが、その取り付け状態においては、図３に示されているように、コイル１０とボビン１１の一部が、切欠き部４ｂに入り込むので、シャッタ装置の薄型化が可能になっている。また、枠板４の二つの突起４ｄ，４ｅは、枠板４の撓みを防止するために設けられているほか、突起４ｅの方が突起４ｄよりも短く形成されていて、ヨーク９の長い方の脚部９ａの先端をシャッタ地板１に押し付けている。そのため、万が一、脚部９ａの先端が枠板４側に変形していたとしても、その変形が矯正されるようになっている。また、ヨーク９の基部側は、枠板４によりシャッタ地板１に押し付けられるので、変形があったとしても矯正されるようになっている。尚、本実施例の場合は、枠板４に、脚部９ｂの先端をシャッタ地板１に押し付けるための突起を設けていないが、必要があれば設けることになる。
【００２２】
最後に、羽根室内に配置されている２枚のシャッタ羽根１２，１３を説明する。シャッタ地板１側に配置されているシャッタ羽根１２は、シャッタ地板１の軸１ｇに回転可能に取り付けられていて、その長孔１２ａに、回転子８の出力ピン８ｃを挿入させている。また、カバー板５側に配置されているシャッタ羽根１３は、シャッタ地板１の軸１ｈに回転可能に取り付けられていて、その長孔１３ａに、回転子８の出力ピン８ｃを挿入させている。即ち、回転子８の出力ピン８ｃは、シャッタ羽根１２，１３に形成されている両方の長孔１２ａ，１３ａに挿入されていて、図１において回転子８が反時計方向へ回転すると、２枚のシャッタ羽根１２，１３は相反する方向へ回転するようになっている。
【００２３】
次に、本実施例の作動を説明するが、上記したように、本実施例のシャッタ装置が、固体撮像素子を備えたデジタルカメラに採用された場合で説明する。図１及び図２は、カメラの電源がオン状態になってはいるものの、撮影が行われていない初期状態（撮影待機状態）を示したものである。従って、この状態では、シャッタ羽根１２，１３が開口部１ａを全開にしていて、被写体光が図示していない固体撮像素子に当たっているため、撮影者は、モニターによって、被写体像を観察することが可能になっている。また、周知のように、このとき、回転子８には、本体部８ａの周面の磁極部とヨーク９の脚部９ａ，９ｂの磁極部との対向関係によって生じる磁気吸引力により、図１において時計方向へ回転する力が付与されている。そのため、出力ピン８ｃは、図２において、シャッタ羽根１２を時計方向へ回転させ、シャッタ羽根１３を反時計方向へ回転させようとしているが、シャッタ羽根１２，１３がストッパ１ｊ，１ｋに接触していることによって、この停止状態が維持されている。
【００２４】
このような初期状態において、撮影者がレリーズボタンを押すと、露光制御回路からの信号によって固体撮像素子に蓄積されていた電荷が放出され、その後、あらたに撮影のための電荷の蓄積が開始（撮影のための露光開始）される。そして、被写体の輝度に対応した所定の時間が経過すると、露光制御回路からの信号によって、コイル１０に正方向の通電が行われ、回転子８が、図１において反時計方向へ回転させられる。そのため、出力ピン８ｃは、図２において、シャッタ羽根１２を反時計方向へ回転させ、シャッタ羽根１３を時計方向へ回転させて、開口部１ａの閉じ作動を行わせる。そして、シャッタ羽根１２，１３は、開口部１ａを完全に閉鎖すると、シャッタ羽根１２がストッパ１ｎに当接し、シャッタ羽根１３がストッパ１ｍに当接することによって停止する。
【００２５】
このようにしてシャッタ羽根１２，１３の閉じ作動が終了すると、固体撮像素子で光電変換された撮像情報が記憶装置に転送される。そして、その転送が終了すると、コイル１０に対して、先ほどとは逆方向の通電が行われる。そのため、回転子８は、先ほどとは逆方向へ回転させられ、出力ピン８ｃによって、シャッタ羽根１２を時計方向へ回転させ、シャッタ羽根１３を反時計方向へ回転させて、開口部１ａの開き作動を行わせる。そして、開口部１ａが全開になると、シャッタ羽根１２は、ストッパ１ｊに当接して停止し、シャッタ羽根１３はストッパ１ｋに当接して停止する。その後、コイル１０への通電が断たれれると、図１及び図２に示された初期状態に復帰したことになる。
【００２６】
このように、本実施例は、２枚のシャッタ羽根１２，１３を備えたシャッタ装置として構成したものであるが、一方のシャッタ羽根だけでも開口部１ａを覆うことが可能であるため、カメラの仕様によっては、１枚のシャッタ羽根だけを備えたシャッタ装置とすることもできる。また、それらのシャッタ装置を、撮影レンズを保護するためのレンズバリア装置とすることも可能である。また、１枚のシャッタ羽根を備えたシャッタ装置において、そのシャッタ羽根を、開口部１ａよりも小さい直径の絞り開口を有する絞り羽根と交換すれば、絞り装置とすることも可能であるし、その絞り開口にＮＤフィルタを取り付けることによって、フィルタ装置とすることも可能である。
【００２７】
このように、本実施例に用いられている電磁アクチュエータは、単独のカメラ製品に内蔵される各種の羽根駆動装置の駆動源として使用することができるだけではなく、携帯電話を含む情報端末機器や、ＴＶ電話，ドアフォーンなどに内蔵されるカメラの各種羽根駆動装置やレンズ駆動装置の駆動源として使用することが可能であるし、施錠装置などのカメラ関連以外の装置の駆動源としても使用することが可能である。尚、図５は、本実施例のシャッタ装置を携帯電話に内蔵した場合の外観図であって、図５（ａ）は被写体側から見た図であり、図５（ｂ）は撮影者側から見た図であるが、内蔵されたシャッタ装置の配置状況を分かり易くするために、一部の構成部材を破線で示し、それらに符号を付けて示したものである。この例からも分かるように、本発明の電磁アクチュエータは、特に小型化，薄型化に適したものである。
【図面の簡単な説明】
【００２８】
【図１】シャッタ羽根の全開状態（初期状態）を示した実施例の平面図である。
【図２】図１を背面側から見た平面図である。
【図３】構成部材の重なり関係を分かり易く示した実施例の断面図である。
【図４】実施例の要部と従来例とを比較するために示した図であって、図４（ａ）は図１から抜き出して示したものであり、図４（ｂ）は従来例を示したものである。
【図５】実施例のシャッタ装置を内蔵した携帯電話の外観図であって、図５（ａ）は被写体側から見た図であり、図５（ｂ）は撮影者側から見た図である。
【符号の説明】
【００２９】
１                            シャッタ地板
１ａ，５ａ                    開口部
１ｂ，４ａ，５ｂ，１３ａ，１３ａ  長孔
１ｃ，１ｇ，１ｈ              軸
１ｄ，１ｉ                    位置決めピン
１ｅ，１ｆ，１ｘ，４ｄ，４ｅ  突起
１ｊ，１ｋ，１ｍ，１ｎ        ストッパ
２，３，６，７                ビス
４                            枠板
４ｂ                          切欠き部
４ｃ，５ｃ，５ｄ，５ｅ        孔
５                            カバー板
８                            回転子
８ａ                          本体部
８ｂ                          腕部
８ｃ                          出力ピン
９                            ヨーク
９ａ，９ｂ                    脚部
１０                          コイル
１１                          ボビン
１１ａ                        筒状部
１１ｂ，１１ｃ                フランジ部
１１ｄ                        張出部
１２，１３                    シャッタ羽根
【図１】
2007174795.tif 000003
【図２】
2007174795.tif 000004
【図３】
2007174795.tif 000005
【図４】
2007174795.tif 000006
【図５】
2007174795.tif 000007